(57)【特許請求の範囲】
【請求項１】
利用者によって指定されたデータと、当該利用者によって入力された利用者識別情報及び認証情報とを取得するデータ取得手段と、
各々の利用者を識別する利用者識別情報と当該利用者の認証情報とを対応付けて記憶する認証装置に対し、前記データ取得手段によって取得された利用者識別情報及び認証情報を送信して、利用者の認証を要求する認証要求手段と、
前記認証装置による前記利用者の認証が成功した場合、前記データ取得手段によって取得されたデータと利用者識別情報とを対応付けて記憶するデータ記憶手段と、
利用者によって再度入力された利用者識別情報を取得する利用者識別情報再取得手段と、
前記利用者識別情報再取得手段によって取得された利用者識別情報と対応付けて記憶されたデータを用いた処理が指示されると、前記データ記憶手段に記憶された当該データを用いて当該処理を行う処理手段と、
前記処理手段によって行われた処理の履歴を表す履歴情報と、前記利用者識別情報再取得手段によって取得された利用者識別情報とを対応付けて記憶する履歴情報記憶手段と、
前記データ記憶手段に記憶された前記利用者識別情報が、使用期間が限られた一時利用者識別情報である場合、当該一時利用者識別情報が前記データ記憶手段に記憶されてから前記使用期間が経過するまでに、当該一時利用者識別情報と対応付けて前記データ記憶手段に記憶されているデータを用いた処理が指示されなかったときには、当該一時利用者識別情報を削除する削除手段と、
前記データ記憶手段において前記一時利用者識別情報と対応付けて記憶されているデータを用いた処理が指示された場合には、当該一時利用者識別情報を前記使用期間に制限がない正規の利用者識別情報に移行させる移行手段とを備え、
前記データ記憶手段は、前記データ取得手段によって取得された前記利用者識別情報が前記移行手段により前記正規の利用者識別情報に移行されている場合には、当該利用者識別情報を前記正規の利用者識別情報として記憶する
ことを特徴とする情報処理装置。
【請求項２】
利用者によって指定されたデータと、当該利用者によって入力された利用者識別情報とを取得するデータ取得手段と、
前記データ取得手段によって取得されたデータと利用者識別情報とを対応付けて記憶するデータ記憶手段と、
利用者によって再度入力された利用者識別情報及び認証情報を取得する利用者識別情報再取得手段と、
各々の利用者を識別する利用者識別情報と当該利用者の認証情報とを対応付けて記憶する認証装置に対し、前記利用者識別情報再取得手段によって取得された利用者識別情報及び認証情報を送信して、利用者の認証を要求する認証要求手段と、
前記認証装置による前記利用者の認証が成功した場合、前記利用者識別情報再取得手段によって取得された利用者識別情報と対応付けて記憶されているデータを用いた処理が指示されると、前記データ記憶手段に記憶されている当該データを用いて当該処理を行う処理手段と、
前記処理手段によって行われた処理の履歴を表す履歴情報と、前記利用者識別情報再取得手段によって取得された利用者識別情報とを対応付けて記憶する履歴情報記憶手段と、
前記データ記憶手段に記憶された前記利用者識別情報が、使用期間が限られた一時利用者識別情報である場合、当該一時利用者識別情報が前記データ記憶手段に記憶されてから前記使用期間が経過するまでに、当該一時利用者識別情報と対応付けて前記データ記憶手段に記憶されているデータを用いた処理が指示されなかったときには、当該一時利用者識別情報を削除する削除手段と、
前記データ記憶手段において前記一時利用者識別情報と対応付けて記憶されているデータを用いた処理が指示された場合には、当該一時利用者識別情報を前記使用期間に制限がない正規の利用者識別情報に移行させる移行手段とを備え、
前記データ記憶手段は、前記データ取得手段によって取得された前記利用者識別情報が前記移行手段により前記正規の利用者識別情報に移行されている場合には、当該利用者識別情報を前記正規の利用者識別情報として記憶する
ことを特徴とする情報処理装置。
【請求項３】
利用者によって指定されたデータと、当該利用者によって入力された利用者識別情報及び認証情報とを取得するデータ取得手段と、
各々の利用者を識別する利用者識別情報と当該利用者の認証情報とを対応付けて記憶する認証装置に対し、前記データ取得手段によって取得された利用者識別情報及び認証情報を送信して、利用者の認証を要求する認証要求手段と、
前記認証装置による前記利用者の認証が成功した場合、前記データ取得手段によって取得されたデータと利用者識別情報とを対応付けて記憶するデータ記憶手段と、
利用者によって再度入力された利用者識別情報を取得する利用者識別情報再取得手段と、
前記利用者識別情報再取得手段によって取得された利用者識別情報と対応付けて記憶されたデータを用いた処理が指示されると、前記データ記憶手段に記憶された当該データを用いて当該処理を行う処理手段と、
前記処理手段によって行われた処理の履歴を表す履歴情報と、前記利用者識別情報再取得手段によって取得された利用者識別情報とを対応付けて記憶する履歴情報記憶手段と、
前記データ記憶手段に記憶された前記利用者識別情報が、使用期間が限られた一時利用者識別情報である場合、当該一時利用者識別情報が前記データ記憶手段に記憶されてから前記使用期間が経過するまでに、当該一時利用者識別情報と対応付けて前記データ記憶手段に記憶されているデータを用いた処理が指示されなかったときには、当該一時利用者識別情報を削除する削除手段と、
前記処理手段により前記一時利用者識別情報と対応付けて前記データ記憶手段に記憶されているデータを用いた処理が行われると、当該一時利用者識別情報を使用期間に制限がない正規の利用者識別情報に移行させるか否かを問い合わせる画面を表示手段に表示させ、当該画面において前記正規の利用者識別情報に移行させることが指示された場合には、当該一時利用者識別情報を前記正規の利用者識別情報に移行させる移行手段を備え、
前記データ記憶手段は、前記データ取得手段によって取得された前記利用者識別情報が前記移行手段により前記正規の利用者識別情報に移行されている場合には、当該利用者識別情報を前記正規の利用者識別情報として記憶する
ことを特徴とする情報処理装置。
【請求項４】
利用者によって指定されたデータと、当該利用者によって入力された利用者識別情報とを取得するデータ取得手段と、
前記データ取得手段によって取得されたデータと利用者識別情報とを対応付けて記憶するデータ記憶手段と、
利用者によって再度入力された利用者識別情報及び認証情報を取得する利用者識別情報再取得手段と、
各々の利用者を識別する利用者識別情報と当該利用者の認証情報とを対応付けて記憶する認証装置に対し、前記利用者識別情報再取得手段によって取得された利用者識別情報及び認証情報を送信して、利用者の認証を要求する認証要求手段と、
前記認証装置による前記利用者の認証が成功した場合、前記利用者識別情報再取得手段によって取得された利用者識別情報と対応付けて記憶されているデータを用いた処理が指示されると、前記データ記憶手段に記憶されている当該データを用いて当該処理を行う処理手段と、
前記処理手段によって行われた処理の履歴を表す履歴情報と、前記利用者識別情報再取得手段によって取得された利用者識別情報とを対応付けて記憶する履歴情報記憶手段と、
前記データ記憶手段に記憶された前記利用者識別情報が、使用期間が限られた一時利用者識別情報である場合、当該一時利用者識別情報が前記データ記憶手段に記憶されてから前記使用期間が経過するまでに、当該一時利用者識別情報と対応付けて前記データ記憶手段に記憶されているデータを用いた処理が指示されなかったときには、当該一時利用者識別情報を削除する削除手段と、
前記処理手段により前記一時利用者識別情報と対応付けて前記データ記憶手段に記憶されているデータを用いた処理が行われると、当該一時利用者識別情報を使用期間に制限がない正規の利用者識別情報に移行させるか否かを問い合わせる画面を表示手段に表示させ、当該画面において前記正規の利用者識別情報に移行させることが指示された場合には、当該一時利用者識別情報を前記正規の利用者識別情報に移行させる移行手段を備え、
前記データ記憶手段は、前記データ取得手段によって取得された前記利用者識別情報が前記移行手段により前記正規の利用者識別情報に移行されている場合には、当該利用者識別情報を前記正規の利用者識別情報として記憶する
ことを特徴とする情報処理装置。
【請求項５】
利用者によって指定されたデータと、当該利用者によって入力された利用者識別情報及び認証情報とを取得するデータ取得手段と、
各々の利用者を識別する利用者識別情報と当該利用者の認証情報とを対応付けて記憶する認証装置に対し、前記データ取得手段によって取得された利用者識別情報及び認証情報を送信して、利用者の認証を要求する認証要求手段と、
前記認証装置による前記利用者の認証が成功した場合、前記データ取得手段によって取得されたデータと利用者識別情報とを対応付けて記憶し、当該利用者識別情報を使用期間が限られた一時利用者識別情報として記憶するデータ記憶手段と、
利用者によって再度入力された利用者識別情報を取得する利用者識別情報再取得手段と、
前記利用者識別情報再取得手段によって取得された利用者識別情報と対応付けて記憶されたデータを用いた処理が指示されると、前記データ記憶手段に記憶された当該データを用いて当該処理を行う処理手段と、
前記処理手段によって行われた処理の履歴を表す履歴情報と前記利用者識別情報再取得手段によって取得された利用者識別情報とを対応付けて記憶し、前記一時利用者識別情報と対応付けて前記データ記憶手段に記憶されているデータを用いた処理が指示された場合には、当該利用者識別情報を使用期間に制限がない正規の利用者識別情報として記憶する履歴情報記憶手段と、
前記一時利用者識別情報が前記データ記憶手段に記憶されてから前記使用期間が経過するまでに、当該一時利用者識別情報と対応付けて前記データ記憶手段に記憶されているデータを用いた処理が指示されなかった場合、当該一時利用者識別情報を削除する削除手段と
を備えることを特徴とする情報処理装置。
【請求項６】
利用者によって指定されたデータと、当該利用者によって入力された利用者識別情報とを取得するデータ取得手段と、
前記データ取得手段によって取得されたデータと利用者識別情報とを対応付けて記憶し、当該利用者識別情報を使用期間が限られた一時利用者識別情報として記憶するデータ記憶手段と、
利用者によって再度入力された利用者識別情報及び認証情報を取得する利用者識別情報再取得手段と、
各々の利用者を識別する利用者識別情報と当該利用者の認証情報とを対応付けて記憶する認証装置に対し、前記利用者識別情報再取得手段によって取得された利用者識別情報及び認証情報を送信して、利用者の認証を要求する認証要求手段と、
前記認証装置による前記利用者の認証が成功した場合、前記利用者識別情報再取得手段によって取得された利用者識別情報と対応付けて記憶されているデータを用いた処理が指示されると、前記データ記憶手段に記憶されている当該データを用いて当該処理を行う処理手段と、
前記処理手段によって行われた処理の履歴を表す履歴情報と前記利用者識別情報再取得手段によって取得された利用者識別情報とを対応付けて記憶し、前記一時利用者識別情報と対応付けて前記データ記憶手段に記憶されているデータを用いた処理が指示された場合には、当該利用者識別情報を使用期間に制限がない正規の利用者識別情報として記憶する履歴情報記憶手段と、
前記一時利用者識別情報が前記データ記憶手段に記憶されてから前記使用期間が経過するまでに、当該一時利用者識別情報と対応付けて前記データ記憶手段に記憶されているデータを用いた処理が指示されなかった場合、当該一時利用者識別情報を削除する削除手段と
を備えることを特徴とする情報処理装置。
【請求項７】
画像を読み取る読取手段を備え、
前記データ取得手段は、前記読取手段によって読み取られた画像を表す画像データを取得し、
前記データ記憶手段は、前記データ取得手段によって取得された画像データを記憶し、
前記処理手段は、前記利用者識別情報再取得手段によって取得された利用者識別情報と対応付けて記憶されている画像データを用いた処理が指示されると、前記データ記憶手段に記憶されている当該画像データを用いて当該処理を行う
ことを特徴とする請求項１から６のいずれか１項に記載の情報処理装置。
【請求項８】
端末装置から画像データが送信されてくると、当該画像データを受信する受信手段を備え、
前記データ取得手段は、前記受信手段によって受信された画像データを取得し、
前記データ記憶手段は、前記データ取得手段によって取得された画像データを記憶し、
前記処理手段は、前記利用者識別情報再取得手段によって取得された利用者識別情報と対応付けて記憶されている画像データを用いた処理が指示されると、前記データ記憶手段に記憶されている当該画像データを用いて当該処理を行う
ことを特徴とする請求項１から６のいずれか１項に記載の情報処理装置。
【請求項９】
前記利用者識別情報再取得手段によって取得された利用者識別情報と対応付けて前記データ記憶手段に記憶されている画像データの中から、画像データの選択を受け付ける選択受付手段を備え、
前記処理手段は、前記選択受付手段が選択を受け付けた画像データに応じた画像を形成する処理を行う
ことを特徴とする請求項７又は８に記載の情報処理装置。
【請求項１０】
コンピュータを、
利用者によって指定されたデータと、当該利用者によって入力された利用者識別情報及び認証情報とを取得するデータ取得手段と、
各々の利用者を識別する利用者識別情報と当該利用者の認証情報とを対応付けて記憶する認証装置に対し、前記データ取得手段によって取得された利用者識別情報及び認証情報を送信して、利用者の認証を要求する認証要求手段と、
前記認証装置による前記利用者の認証が成功した場合、前記データ取得手段によって取得されたデータと利用者識別情報とを対応付けて記憶するデータ記憶手段と、
利用者によって再度入力された利用者識別情報を取得する利用者識別情報再取得手段と、
前記利用者識別情報再取得手段によって取得された利用者識別情報と対応付けて記憶されたデータを用いた処理が指示されると、前記データ記憶手段に記憶された当該データを用いて当該処理を行う処理手段と、
前記処理手段によって行われた処理の履歴を表す履歴情報と、前記利用者識別情報再取得手段によって取得された利用者識別情報とを対応付けて記憶する履歴情報記憶手段と、
前記データ記憶手段に記憶された前記利用者識別情報が、使用期間が限られた一時利用者識別情報である場合、当該一時利用者識別情報が前記データ記憶手段に記憶されてから前記使用期間が経過するまでに、当該一時利用者識別情報と対応付けて前記データ記憶手段に記憶されているデータを用いた処理が指示されなかったときには、当該一時利用者識別情報を削除する削除手段と、
前記処理手段により前記一時利用者識別情報と対応付けて前記データ記憶手段に記憶されているデータを用いた処理が行われると、当該一時利用者識別情報を使用期間に制限がない正規の利用者識別情報に移行させるか否かを問い合わせる画面を表示手段に表示させ、当該画面において前記正規の利用者識別情報に移行させることが指示された場合には、当該一時利用者識別情報を前記正規の利用者識別情報に移行させる移行手段として機能させるためのプログラムであって、
前記データ記憶手段は、前記データ取得手段によって取得された前記利用者識別情報が前記移行手段により前記正規の利用者識別情報に移行されている場合には、当該利用者識別情報を前記正規の利用者識別情報として記憶する
プログラム。
【請求項１１】
コンピュータを、
利用者によって指定されたデータと、当該利用者によって入力された利用者識別情報とを取得するデータ取得手段と、
前記データ取得手段によって取得されたデータと利用者識別情報とを対応付けて記憶するデータ記憶手段と、
利用者によって再度入力された利用者識別情報及び認証情報を取得する利用者識別情報再取得手段と、
各々の利用者を識別する利用者識別情報と当該利用者の認証情報とを対応付けて記憶する認証装置に対し、前記利用者識別情報再取得手段によって取得された利用者識別情報及び認証情報を送信して、利用者の認証を要求する認証要求手段と、
前記認証装置による前記利用者の認証が成功した場合、前記利用者識別情報再取得手段によって取得された利用者識別情報と対応付けて記憶されているデータを用いた処理が指示されると、前記データ記憶手段に記憶されている当該データを用いて当該処理を行う処理手段と、
前記処理手段によって行われた処理の履歴を表す履歴情報と、前記利用者識別情報再取得手段によって取得された利用者識別情報とを対応付けて記憶する履歴情報記憶手段と、
前記データ記憶手段に記憶された前記利用者識別情報が、使用期間が限られた一時利用者識別情報である場合、当該一時利用者識別情報が前記データ記憶手段に記憶されてから前記使用期間が経過するまでに、当該一時利用者識別情報と対応付けて前記データ記憶手段に記憶されているデータを用いた処理が指示されなかったときには、当該一時利用者識別情報を削除する削除手段と、
前記処理手段により前記一時利用者識別情報と対応付けて前記データ記憶手段に記憶されているデータを用いた処理が行われると、当該一時利用者識別情報を使用期間に制限がない正規の利用者識別情報に移行させるか否かを問い合わせる画面を表示手段に表示させ、当該画面において前記正規の利用者識別情報に移行させることが指示された場合には、当該一時利用者識別情報を前記正規の利用者識別情報に移行させる移行手段として機能させるためのプログラムであって、
前記データ記憶手段は、前記データ取得手段によって取得された前記利用者識別情報が前記移行手段により前記正規の利用者識別情報に移行されている場合には、当該利用者識別情報を前記正規の利用者識別情報として記憶する
プログラム。
【請求項１２】
コンピュータを、
利用者によって指定されたデータと、当該利用者によって入力された利用者識別情報及び認証情報とを取得するデータ取得手段と、
各々の利用者を識別する利用者識別情報と当該利用者の認証情報とを対応付けて記憶する認証装置に対し、前記データ取得手段によって取得された利用者識別情報及び認証情報を送信して、利用者の認証を要求する認証要求手段と、
前記認証装置による前記利用者の認証が成功した場合、前記データ取得手段によって取得されたデータと利用者識別情報とを対応付けて記憶し、当該利用者識別情報を使用期間が限られた一時利用者識別情報として記憶するデータ記憶手段と、
利用者によって再度入力された利用者識別情報を取得する利用者識別情報再取得手段と、
前記利用者識別情報再取得手段によって取得された利用者識別情報と対応付けて記憶されたデータを用いた処理が指示されると、前記データ記憶手段に記憶された当該データを用いて当該処理を行う処理手段と、
前記処理手段によって行われた処理の履歴を表す履歴情報と前記利用者識別情報再取得手段によって取得された利用者識別情報とを対応付けて記憶し、前記一時利用者識別情報と対応付けて前記データ記憶手段に記憶されているデータを用いた処理が指示された場合には、当該利用者識別情報を使用期間に制限がない正規の利用者識別情報として記憶する履歴情報記憶手段と、
前記一時利用者識別情報が前記データ記憶手段に記憶されてから前記使用期間が経過するまでに、当該一時利用者識別情報と対応付けて前記データ記憶手段に記憶されているデータを用いた処理が指示されなかった場合、当該一時利用者識別情報を削除する削除手段と
して機能させるためのプログラム。
【請求項１３】
コンピュータを、
利用者によって指定されたデータと、当該利用者によって入力された利用者識別情報とを取得するデータ取得手段と、
前記データ取得手段によって取得されたデータと利用者識別情報とを対応付けて記憶し、当該利用者識別情報を使用期間が限られた一時利用者識別情報として記憶するデータ記憶手段と、
利用者によって再度入力された利用者識別情報及び認証情報を取得する利用者識別情報再取得手段と、
各々の利用者を識別する利用者識別情報と当該利用者の認証情報とを対応付けて記憶する認証装置に対し、前記利用者識別情報再取得手段によって取得された利用者識別情報及び認証情報を送信して、利用者の認証を要求する認証要求手段と、
前記認証装置による前記利用者の認証が成功した場合、前記利用者識別情報再取得手段によって取得された利用者識別情報と対応付けて記憶されているデータを用いた処理が指示されると、前記データ記憶手段に記憶されている当該データを用いて当該処理を行う処理手段と、
前記処理手段によって行われた処理の履歴を表す履歴情報と前記利用者識別情報再取得手段によって取得された利用者識別情報とを対応付けて記憶し、前記一時利用者識別情報と対応付けて前記データ記憶手段に記憶されているデータを用いた処理が指示された場合には、当該利用者識別情報を使用期間に制限がない正規の利用者識別情報として記憶する履歴情報記憶手段と、
前記一時利用者識別情報が前記データ記憶手段に記憶されてから前記使用期間が経過するまでに、当該一時利用者識別情報と対応付けて前記データ記憶手段に記憶されているデータを用いた処理が指示されなかった場合、当該一時利用者識別情報を削除する削除手段と
して機能させるためのプログラム。
【発明の詳細な説明】
【技術分野】
【０００１】
本発明は、情報処理装置及びプログラムに関する。
【背景技術】
【０００２】
印刷される画像の機密性を高めるための技術として、例えば特許文献１には、画像データに対応付けられた暗証番号と利用者によって入力された暗証番号とを照合し、それらの暗証番号が合致した場合にはその画像データに応じた画像を形成する技術が開示されている。この暗証番号は、画像データ毎に任意に設定されるようになっている。
【特許文献１】特開平０５−１４３２５３号公報
【発明の開示】
【発明が解決しようとする課題】
【０００３】
本発明は、他人のデータを用いた処理を困難にするとともに、各々の処理がどの利用者によって行われたものかを確認できるようにすることを目的とする。
【課題を解決するための手段】
【０００４】
請求項１に係る発明は、利用者によって指定されたデータと、当該利用者によって入力された利用者識別情報及び認証情報とを取得するデータ取得手段と、各々の利用者を識別する利用者識別情報と当該利用者の認証情報とを対応付けて記憶する認証装置に対し、前記データ取得手段によって取得された利用者識別情報及び認証情報を送信して、利用者の認証を要求する認証要求手段と、前記認証装置による前記利用者の認証が成功した場合、前記データ取得手段によって取得されたデータと利用者識別情報とを対応付けて記憶するデータ記憶手段と、利用者によって再度入力された利用者識別情報を取得する利用者識別情報再取得手段と、前記利用者識別情報再取得手段によって取得された利用者識別情報と対応付けて記憶されたデータを用いた処理が指示されると、前記データ記憶手段に記憶された当該データを用いて当該処理を行う処理手段と、前記処理手段によって行われた処理の履歴を表す履歴情報と、前記利用者識別情報再取得手段によって取得された利用者識別情報とを対応付けて記憶する履歴情報記憶手段と、前記データ記憶手段に記憶された前記利用者識別情報が、使用期間が限られた一時利用者識別情報である場合、当該一時利用者識別情報が前記データ記憶手段に記憶されてから前記使用期間が経過するまでに、当該一時利用者識別情報と対応付けて前記データ記憶手段に記憶されているデータを用いた処理が指示されなかったときには、当該一時利用者識別情報を削除する削除手段と、前記データ記憶手段において前記一時利用者識別情報と対応付けて記憶されているデータを用いた処理が指示された場合には、当該一時利用者識別情報を前記使用期間に制限がない正規の利用者識別情報に移行させる移行手段とを備え、前記データ記憶手段は、前記データ取得手段によって取得された前記利用者識別情報が前記移行手段により前記正規の利用者識別情報に移行されている場合には、当該利用者識別情報を前記正規の利用者識別情報として記憶することを特徴とする情報処理装置である。
【０００５】
請求項２に係る発明は、利用者によって指定されたデータと、当該利用者によって入力された利用者識別情報とを取得するデータ取得手段と、前記データ取得手段によって取得されたデータと利用者識別情報とを対応付けて記憶するデータ記憶手段と、利用者によって再度入力された利用者識別情報及び認証情報を取得する利用者識別情報再取得手段と、各々の利用者を識別する利用者識別情報と当該利用者の認証情報とを対応付けて記憶する認証装置に対し、前記利用者識別情報再取得手段によって取得された利用者識別情報及び認証情報を送信して、利用者の認証を要求する認証要求手段と、前記認証装置による前記利用者の認証が成功した場合、前記利用者識別情報再取得手段によって取得された利用者識別情報と対応付けて記憶されているデータを用いた処理が指示されると、前記データ記憶手段に記憶されている当該データを用いて当該処理を行う処理手段と、前記処理手段によって行われた処理の履歴を表す履歴情報と、前記利用者識別情報再取得手段によって取得された利用者識別情報とを対応付けて記憶する履歴情報記憶手段と、前記データ記憶手段に記憶された前記利用者識別情報が、使用期間が限られた一時利用者識別情報である場合、当該一時利用者識別情報が前記データ記憶手段に記憶されてから前記使用期間が経過するまでに、当該一時利用者識別情報と対応付けて前記データ記憶手段に記憶されているデータを用いた処理が指示されなかったときには、当該一時利用者識別情報を削除する削除手段と、前記データ記憶手段において前記一時利用者識別情報と対応付けて記憶されているデータを用いた処理が指示された場合には、当該一時利用者識別情報を前記使用期間に制限がない正規の利用者識別情報に移行させる移行手段とを備え、前記データ記憶手段は、前記データ取得手段によって取得された前記利用者識別情報が前記移行手段により前記正規の利用者識別情報に移行されている場合には、当該利用者識別情報を前記正規の利用者識別情報として記憶することを特徴とする情報処理装置である。
【０００６】
請求項３に係る発明は、利用者によって指定されたデータと、当該利用者によって入力された利用者識別情報及び認証情報とを取得するデータ取得手段と、各々の利用者を識別する利用者識別情報と当該利用者の認証情報とを対応付けて記憶する認証装置に対し、前記データ取得手段によって取得された利用者識別情報及び認証情報を送信して、利用者の認証を要求する認証要求手段と、前記認証装置による前記利用者の認証が成功した場合、前記データ取得手段によって取得されたデータと利用者識別情報とを対応付けて記憶するデータ記憶手段と、利用者によって再度入力された利用者識別情報を取得する利用者識別情報再取得手段と、前記利用者識別情報再取得手段によって取得された利用者識別情報と対応付けて記憶されたデータを用いた処理が指示されると、前記データ記憶手段に記憶された当該データを用いて当該処理を行う処理手段と、前記処理手段によって行われた処理の履歴を表す履歴情報と、前記利用者識別情報再取得手段によって取得された利用者識別情報とを対応付けて記憶する履歴情報記憶手段と、前記データ記憶手段に記憶された前記利用者識別情報が、使用期間が限られた一時利用者識別情報である場合、当該一時利用者識別情報が前記データ記憶手段に記憶されてから前記使用期間が経過するまでに、当該一時利用者識別情報と対応付けて前記データ記憶手段に記憶されているデータを用いた処理が指示されなかったときには、当該一時利用者識別情報を削除する削除手段と、前記処理手段により前記一時利用者識別情報と対応付けて前記データ記憶手段に記憶されているデータを用いた処理が行われると、当該一時利用者識別情報を使用期間に制限がない正規の利用者識別情報に移行させるか否かを問い合わせる画面を表示手段に表示させ、当該画面において前記正規の利用者識別情報に移行させることが指示された場合には、当該一時利用者識別情報を前記正規の利用者識別情報に移行させる移行手段を備え、前記データ記憶手段は、前記データ取得手段によって取得された前記利用者識別情報が前記移行手段により前記正規の利用者識別情報に移行されている場合には、当該利用者識別情報を前記正規の利用者識別情報として記憶することを特徴とする情報処理装置である。
【０００７】
請求項４に係る発明は、利用者によって指定されたデータと、当該利用者によって入力された利用者識別情報とを取得するデータ取得手段と、前記データ取得手段によって取得されたデータと利用者識別情報とを対応付けて記憶するデータ記憶手段と、利用者によって再度入力された利用者識別情報及び認証情報を取得する利用者識別情報再取得手段と、各々の利用者を識別する利用者識別情報と当該利用者の認証情報とを対応付けて記憶する認証装置に対し、前記利用者識別情報再取得手段によって取得された利用者識別情報及び認証情報を送信して、利用者の認証を要求する認証要求手段と、前記認証装置による前記利用者の認証が成功した場合、前記利用者識別情報再取得手段によって取得された利用者識別情報と対応付けて記憶されているデータを用いた処理が指示されると、前記データ記憶手段に記憶されている当該データを用いて当該処理を行う処理手段と、前記処理手段によって行われた処理の履歴を表す履歴情報と、前記利用者識別情報再取得手段によって取得された利用者識別情報とを対応付けて記憶する履歴情報記憶手段と、前記データ記憶手段に記憶された前記利用者識別情報が、使用期間が限られた一時利用者識別情報である場合、当該一時利用者識別情報が前記データ記憶手段に記憶されてから前記使用期間が経過するまでに、当該一時利用者識別情報と対応付けて前記データ記憶手段に記憶されているデータを用いた処理が指示されなかったときには、当該一時利用者識別情報を削除する削除手段と、前記処理手段により前記一時利用者識別情報と対応付けて前記データ記憶手段に記憶されているデータを用いた処理が行われると、当該一時利用者識別情報を使用期間に制限がない正規の利用者識別情報に移行させるか否かを問い合わせる画面を表示手段に表示させ、当該画面において前記正規の利用者識別情報に移行させることが指示された場合には、当該一時利用者識別情報を前記正規の利用者識別情報に移行させる移行手段を備え、前記データ記憶手段は、前記データ取得手段によって取得された前記利用者識別情報が前記移行手段により前記正規の利用者識別情報に移行されている場合には、当該利用者識別情報を前記正規の利用者識別情報として記憶することを特徴とする情報処理装置である。
【０００８】
請求項５に係る発明は、利用者によって指定されたデータと、当該利用者によって入力された利用者識別情報及び認証情報とを取得するデータ取得手段と、各々の利用者を識別する利用者識別情報と当該利用者の認証情報とを対応付けて記憶する認証装置に対し、前記データ取得手段によって取得された利用者識別情報及び認証情報を送信して、利用者の認証を要求する認証要求手段と、前記認証装置による前記利用者の認証が成功した場合、前記データ取得手段によって取得されたデータと利用者識別情報とを対応付けて記憶し、当該利用者識別情報を使用期間が限られた一時利用者識別情報として記憶するデータ記憶手段と、利用者によって再度入力された利用者識別情報を取得する利用者識別情報再取得手段と、前記利用者識別情報再取得手段によって取得された利用者識別情報と対応付けて記憶されたデータを用いた処理が指示されると、前記データ記憶手段に記憶された当該データを用いて当該処理を行う処理手段と、前記処理手段によって行われた処理の履歴を表す履歴情報と前記利用者識別情報再取得手段によって取得された利用者識別情報とを対応付けて記憶し、前記一時利用者識別情報と対応付けて前記データ記憶手段に記憶されているデータを用いた処理が指示された場合には、当該利用者識別情報を使用期間に制限がない正規の利用者識別情報として記憶する履歴情報記憶手段と、前記一時利用者識別情報が前記データ記憶手段に記憶されてから前記使用期間が経過するまでに、当該一時利用者識別情報と対応付けて前記データ記憶手段に記憶されているデータを用いた処理が指示されなかった場合、当該一時利用者識別情報を削除する削除手段とを備えることを特徴とする情報処理装置である。
【０００９】
請求項６に係る発明は、利用者によって指定されたデータと、当該利用者によって入力された利用者識別情報とを取得するデータ取得手段と、前記データ取得手段によって取得されたデータと利用者識別情報とを対応付けて記憶し、当該利用者識別情報を使用期間が限られた一時利用者識別情報として記憶するデータ記憶手段と、利用者によって再度入力された利用者識別情報及び認証情報を取得する利用者識別情報再取得手段と、各々の利用者を識別する利用者識別情報と当該利用者の認証情報とを対応付けて記憶する認証装置に対し、前記利用者識別情報再取得手段によって取得された利用者識別情報及び認証情報を送信して、利用者の認証を要求する認証要求手段と、前記認証装置による前記利用者の認証が成功した場合、前記利用者識別情報再取得手段によって取得された利用者識別情報と対応付けて記憶されているデータを用いた処理が指示されると、前記データ記憶手段に記憶されている当該データを用いて当該処理を行う処理手段と、前記処理手段によって行われた処理の履歴を表す履歴情報と前記利用者識別情報再取得手段によって取得された利用者識別情報とを対応付けて記憶し、前記一時利用者識別情報と対応付けて前記データ記憶手段に記憶されているデータを用いた処理が指示された場合には、当該利用者識別情報を使用期間に制限がない正規の利用者識別情報として記憶する履歴情報記憶手段と、前記一時利用者識別情報が前記データ記憶手段に記憶されてから前記使用期間が経過するまでに、当該一時利用者識別情報と対応付けて前記データ記憶手段に記憶されているデータを用いた処理が指示されなかった場合、当該一時利用者識別情報を削除する削除手段とを備えることを特徴とする情報処理装置である。
【００１０】
請求項７に係る発明は、請求項１から６のいずれか１項に記載の情報処理装置において、画像を読み取る読取手段を備え、前記データ取得手段は、前記読取手段によって読み取られた画像を表す画像データを取得し、前記データ記憶手段は、前記データ取得手段によって取得された画像データを記憶し、前記処理手段は、前記利用者識別情報再取得手段によって取得された利用者識別情報と対応付けて記憶されている画像データを用いた処理が指示されると、前記データ記憶手段に記憶されている当該画像データを用いて当該処理を行うことを特徴とする。
【００１１】
請求項８に係る発明は、請求項１から６のいずれか１項に記載の情報処理装置において、端末装置から画像データが送信されてくると、当該画像データを受信する受信手段を備え、前記データ取得手段は、前記受信手段によって受信された画像データを取得し、前記データ記憶手段は、前記データ取得手段によって取得された画像データを記憶し、前記処理手段は、前記利用者識別情報再取得手段によって取得された利用者識別情報と対応付けて記憶されている画像データを用いた処理が指示されると、前記データ記憶手段に記憶されている当該画像データを用いて当該処理を行うことを特徴とする。
請求項９に係る発明は、請求項７又は８に記載の情報処理装置において、前記利用者識別情報再取得手段によって取得された利用者識別情報と対応付けて前記データ記憶手段に記憶されている画像データの中から、画像データの選択を受け付ける選択受付手段を備え、前記処理手段は、前記選択受付手段が選択を受け付けた画像データに応じた画像を形成する処理を行うことを特徴とする。
請求項１０に係る発明は、コンピュータを、利用者によって指定されたデータと、当該利用者によって入力された利用者識別情報及び認証情報とを取得するデータ取得手段と、各々の利用者を識別する利用者識別情報と当該利用者の認証情報とを対応付けて記憶する認証装置に対し、前記データ取得手段によって取得された利用者識別情報及び認証情報を送信して、利用者の認証を要求する認証要求手段と、前記認証装置による前記利用者の認証が成功した場合、前記データ取得手段によって取得されたデータと利用者識別情報とを対応付けて記憶するデータ記憶手段と、利用者によって再度入力された利用者識別情報を取得する利用者識別情報再取得手段と、前記利用者識別情報再取得手段によって取得された利用者識別情報と対応付けて記憶されたデータを用いた処理が指示されると、前記データ記憶手段に記憶された当該データを用いて当該処理を行う処理手段と、前記処理手段によって行われた処理の履歴を表す履歴情報と、前記利用者識別情報再取得手段によって取得された利用者識別情報とを対応付けて記憶する履歴情報記憶手段と、前記データ記憶手段に記憶された前記利用者識別情報が、使用期間が限られた一時利用者識別情報である場合、当該一時利用者識別情報が前記データ記憶手段に記憶されてから前記使用期間が経過するまでに、当該一時利用者識別情報と対応付けて前記データ記憶手段に記憶されているデータを用いた処理が指示されなかったときには、当該一時利用者識別情報を削除する削除手段と、前記処理手段により前記一時利用者識別情報と対応付けて前記データ記憶手段に記憶されているデータを用いた処理が行われると、当該一時利用者識別情報を使用期間に制限がない正規の利用者識別情報に移行させるか否かを問い合わせる画面を表示手段に表示させ、当該画面において前記正規の利用者識別情報に移行させることが指示された場合には、当該一時利用者識別情報を前記正規の利用者識別情報に移行させる移行手段として機能させるためのプログラムであって、前記データ記憶手段は、前記データ取得手段によって取得された前記利用者識別情報が前記移行手段により前記正規の利用者識別情報に移行されている場合には、当該利用者識別情報を前記正規の利用者識別情報として記憶するプログラムである。
請求項１１に係る発明は、コンピュータを、利用者によって指定されたデータと、当該利用者によって入力された利用者識別情報とを取得するデータ取得手段と、前記データ取得手段によって取得されたデータと利用者識別情報とを対応付けて記憶するデータ記憶手段と、利用者によって再度入力された利用者識別情報及び認証情報を取得する利用者識別情報再取得手段と、各々の利用者を識別する利用者識別情報と当該利用者の認証情報とを対応付けて記憶する認証装置に対し、前記利用者識別情報再取得手段によって取得された利用者識別情報及び認証情報を送信して、利用者の認証を要求する認証要求手段と、前記認証装置による前記利用者の認証が成功した場合、前記利用者識別情報再取得手段によって取得された利用者識別情報と対応付けて記憶されているデータを用いた処理が指示されると、前記データ記憶手段に記憶されている当該データを用いて当該処理を行う処理手段と、前記処理手段によって行われた処理の履歴を表す履歴情報と、前記利用者識別情報再取得手段によって取得された利用者識別情報とを対応付けて記憶する履歴情報記憶手段と、前記データ記憶手段に記憶された前記利用者識別情報が、使用期間が限られた一時利用者識別情報である場合、当該一時利用者識別情報が前記データ記憶手段に記憶されてから前記使用期間が経過するまでに、当該一時利用者識別情報と対応付けて前記データ記憶手段に記憶されているデータを用いた処理が指示されなかったときには、当該一時利用者識別情報を削除する削除手段と、前記処理手段により前記一時利用者識別情報と対応付けて前記データ記憶手段に記憶されているデータを用いた処理が行われると、当該一時利用者識別情報を使用期間に制限がない正規の利用者識別情報に移行させるか否かを問い合わせる画面を表示手段に表示させ、当該画面において前記正規の利用者識別情報に移行させることが指示された場合には、当該一時利用者識別情報を前記正規の利用者識別情報に移行させる移行手段として機能させるためのプログラムであって、前記データ記憶手段は、前記データ取得手段によって取得された前記利用者識別情報が前記移行手段により前記正規の利用者識別情報に移行されている場合には、当該利用者識別情報を前記正規の利用者識別情報として記憶するプログラムである。
請求項１２に係る発明は、コンピュータを、利用者によって指定されたデータと、当該利用者によって入力された利用者識別情報及び認証情報とを取得するデータ取得手段と、各々の利用者を識別する利用者識別情報と当該利用者の認証情報とを対応付けて記憶する認証装置に対し、前記データ取得手段によって取得された利用者識別情報及び認証情報を送信して、利用者の認証を要求する認証要求手段と、前記認証装置による前記利用者の認証が成功した場合、前記データ取得手段によって取得されたデータと利用者識別情報とを対応付けて記憶し、当該利用者識別情報を使用期間が限られた一時利用者識別情報として記憶するデータ記憶手段と、利用者によって再度入力された利用者識別情報を取得する利用者識別情報再取得手段と、前記利用者識別情報再取得手段によって取得された利用者識別情報と対応付けて記憶されたデータを用いた処理が指示されると、前記データ記憶手段に記憶された当該データを用いて当該処理を行う処理手段と、前記処理手段によって行われた処理の履歴を表す履歴情報と前記利用者識別情報再取得手段によって取得された利用者識別情報とを対応付けて記憶し、前記一時利用者識別情報と対応付けて前記データ記憶手段に記憶されているデータを用いた処理が指示された場合には、当該利用者識別情報を使用期間に制限がない正規の利用者識別情報として記憶する履歴情報記憶手段と、前記一時利用者識別情報が前記データ記憶手段に記憶されてから前記使用期間が経過するまでに、当該一時利用者識別情報と対応付けて前記データ記憶手段に記憶されているデータを用いた処理が指示されなかった場合、当該一時利用者識別情報を削除する削除手段として機能させるためのプログラムである。
請求項１３に係る発明は、コンピュータを、利用者によって指定されたデータと、当該利用者によって入力された利用者識別情報とを取得するデータ取得手段と、前記データ取得手段によって取得されたデータと利用者識別情報とを対応付けて記憶し、当該利用者識別情報を使用期間が限られた一時利用者識別情報として記憶するデータ記憶手段と、利用者によって再度入力された利用者識別情報及び認証情報を取得する利用者識別情報再取得手段と、各々の利用者を識別する利用者識別情報と当該利用者の認証情報とを対応付けて記憶する認証装置に対し、前記利用者識別情報再取得手段によって取得された利用者識別情報及び認証情報を送信して、利用者の認証を要求する認証要求手段と、前記認証装置による前記利用者の認証が成功した場合、前記利用者識別情報再取得手段によって取得された利用者識別情報と対応付けて記憶されているデータを用いた処理が指示されると、前記データ記憶手段に記憶されている当該データを用いて当該処理を行う処理手段と、前記処理手段によって行われた処理の履歴を表す履歴情報と前記利用者識別情報再取得手段によって取得された利用者識別情報とを対応付けて記憶し、前記一時利用者識別情報と対応付けて前記データ記憶手段に記憶されているデータを用いた処理が指示された場合には、当該利用者識別情報を使用期間に制限がない正規の利用者識別情報として記憶する履歴情報記憶手段と、前記一時利用者識別情報が前記データ記憶手段に記憶されてから前記使用期間が経過するまでに、当該一時利用者識別情報と対応付けて前記データ記憶手段に記憶されているデータを用いた処理が指示されなかった場合、当該一時利用者識別情報を削除する削除手段として機能させるためのプログラムである。
【発明の効果】
【００１２】
請求項１及び２に係る発明によれば、他人のデータを用いた処理を困難にするとともに、各々の処理がどの利用者によって行われたものかを確認可能となる。
請求項５及び６に係る発明によれば、データを記憶するときには使用期限が限られた一時利用者識別情報が使用され、そのデータを用いた処理が指示されたときには利用者識別情報が使用期間に制限がない正規の利用者識別情報として記憶される一方、上記使用期間が経過するまでにそのデータを用いた処理が指示されなかった場合には、そのデータに対応する一時利用者識別情報が削除されるようになっているため、不要な一時利用者識別情報が記憶され続けるのを防ぐことができる。
請求項７に係る発明によれば、画像を読み取って生成された画像データを用いた処理を行うことができる。
請求項８に係る発明によれば、端末装置から送信されてきた画像データを用いた処理を行うことができる。
請求項９に係る発明によれば、利用者によって選択された画像データに応じた画像を形成する処理を行うことができる。
請求項１０及び１１に係る発明によれば、他人のデータを用いた処理を困難にするとともに、各々の処理がどの利用者によって行われたものかを確認可能となる。
【発明を実施するための最良の形態】
【００１３】
［構成］
図１は、本実施形態に係る情報処理システム１の構成を示す図である。図に示すように、情報処理システム１は、複数の端末装置１０と、認証装置２０と、画像形成装置３０とを備えている。これらの装置は、ＬＡＮ（Local Area Network）などのネットワークを介して互いに接続されている。端末装置１０は、利用者によって使用される装置である。なお、図では端末装置１０が２台しか示されていないが、３台以上設けられていてもよい。認証装置２０は、端末装置１０を使用する全ての利用者の認証を行う装置である。画像形成装置３０は、端末装置１０から送信されてきた画像データを蓄積し、蓄積した画像データの中から指定された画像データに応じた画像を形成する情報処理装置である。
【００１４】
（端末装置の構成）
まず、端末装置１０の構成について説明する。図２は、端末装置１０の構成を示すブロック図である。同図に示すように、この端末装置１０は、ＣＰＵ（Central Processing Unit）１１と、メモリ１２と、通信部１３と、記憶部１４と、操作部１５と、表示部１６とを備えている。ＣＰＵ１１は、メモリ１２に記憶されているプログラムに従って各種の処理を行う。メモリ１２は、例えばＲＯＭ（Read Only Memory）やＲＡＭ（Random Access Memory）などを備えており、ＣＰＵ１１によって用いられるプログラムなどを記憶する。通信部１３は、ネットワークを介して接続された画像形成装置３０との通信を確立し、ＣＰＵ１１の制御に従ってデータの送受信を行う。記憶部１４は、例えばハードディスクであり、ＣＰＵ１１によって用いられるプログラムや各種のデータなどを記憶している。操作部１５は、例えばキーボードとマウスであり、利用者の操作を受け付けて、その操作に応じた操作信号をＣＰＵ１１に供給する。表示部１６は、例えば液晶ディスプレイであり、ＣＰＵ１１によって供給されるデータに応じた画像を表示する。
【００１５】
（認証装置の構成）
次に、認証装置２０の構成について説明する。図３は、認証装置２０の構成を示すブロック図である。同図に示すように、この認証装置２０は、ＣＰＵ２１と、メモリ２２と、通信部２３と、記憶部２４とを備えている。ＣＰＵ２１は、メモリ２２に記憶されているプログラムに従って各種の処理を行う。メモリ２２は、例えばＲＯＭやＲＡＭなど備えており、ＣＰＵ２１によって用いられるプログラムなどを記憶する。通信部２３は、ネットワークを介して接続された画像形成装置３０との通信を確立し、ＣＰＵ２１の制御に従ってデータの送受信を行う。記憶部２４は、例えばハードディスクであり、認証テーブルＴなどを記憶している。
【００１６】
ここで、記憶部２４に記憶されている認証テーブルＴの内容について説明する。図４は、認証テーブルＴの一例を示す図である。同図に示すように、この認証テーブルＴには、「ユーザＩＤ」と「パスワード」とが対応付けられている。「ユーザＩＤ」は、端末装置１０の使用を許可された各々の利用者を識別する利用者識別情報の一例である。この「ユーザＩＤ」は、端末装置１０の使用を許可された全ての利用者に対して予め割り当てられている。「パスワード」は、端末装置１０を使用する利用者によって予め指定された認証情報の一例である。この「パスワード」は、利用者が本人であることを確認するために利用される。例えば、図に示した認証テーブルＴでは、ユーザＩＤ「ｕｓｅｒＡ」と、パスワード「１２３４」とが対応付けられている。これは、「ｕｓｅｒＡ」というユーザＩＤの利用者が正当な利用者であり、その利用者によって「１２３４」というパスワードが設定されたことを表している。
【００１７】
（画像形成装置の構成）
次に、画像形成装置３０の構成について説明する。図５は、画像形成装置３０の構成を示すブロック図である。同図に示すように、画像形成装置３０は、制御部３１と、受信手段の一例である通信部３２と、データ記憶手段及び履歴情報記憶手段の一例である記憶部３３と、表示操作部３４と、読取手段の一例である画像読取部３５と、処理手段の一例である画像形成部３６とを備えている。制御部３１は、例えばプログラムに従って処理を行うＣＰＵと、プログラムを記憶するＲＯＭと、ＣＰＵのワークエリアとして使用されるＲＡＭなどを備えており、画像形成装置３０の各部を制御する。通信部３２は、ネットワークを介して接続された端末装置１０や認証装置２０との通信を確立し、制御部３１の制御に従ってデータの送受信を行う。記憶部３３は、例えばハードディスクであり、登録テーブルＲ１などを記憶している。また、この記憶部３３には、画像読取部３５や通信部３２から供給された画像データを記憶するための記憶領域が確保されている。表示操作部３４は、例えばタッチパネルなどを備えており、制御部３１によって指示された画像の表示を行うとともに、操作者の操作に応じた操作信号を制御部３１に供給する。画像読取部３５は、例えばスキャナ装置であり、原稿の画像を読み取って、その画像を表す画像データを生成する。画像形成部３６は、例えばプリンター装置であり、制御部３１によって供給された画像データに応じた画像を用紙に形成する処理を行う。なお、以下の説明では、画像データに応じた画像を用紙に形成する処理のことを「印刷処理」という。
【００１８】
ここで、記憶部３３に記憶されている登録テーブルＲ１の内容について説明する。図６は、登録テーブルＲ１の一例を示す図である。同図に示すように、この登録テーブルＲ１には、「ユーザＩＤ」と「履歴情報」と「一時登録フラグ」とが対応付けられている。「ユーザＩＤ」は、各々の利用者を識別する利用者識別情報の一例である。「履歴情報」は、印刷処理の履歴を表す情報である。この「履歴情報」には、例えば印刷処理が行われた日時、印刷枚数、印刷処理に用いられた画像データのファイル名、サムネイル画像などが含まれている。「一時登録フラグ」は、対応するユーザＩＤが一時登録されたものか、正規に登録されたものかを示す情報である。図中の「オフ」は、ユーザＩＤが正規に登録されたものであることを示している。この正規に登録されたユーザＩＤは、使用期限がない正規の利用者識別情報として利用される。一方、ユーザＩＤが一時登録されたものである場合には、「オン」状態の一時登録フラグが対応付けられることになる。この一時登録されたユーザＩＤは、使用期限が限られた一時利用者識別情報として利用される。例えば、図に示した登録テーブルＲ１では、ユーザＩＤ「ｕｓｅｒＸ」と履歴情報「ｌｏｇＸ」と一時登録フラグ「オフ」とが対応付けられている。これは、ユーザＩＤ「ｕｓｅｒＸ」が正規に登録されたものであり、「ｌｏｇＸ」という履歴情報によって表わされる履歴の処理が「ｕｓｅｒＸ」というユーザＩＤの利用者によって行われたことを表している。この登録テーブルＲ１においては、登録テーブルＲ１にユーザＩＤが登録されていない新たな利用者によって、画像形成装置３０に画像データが記憶されるとき、又は、その画像データを用いた印刷処理が行われるときに、新たなユーザＩＤが追加されるようになっている。
【００１９】
ここで、画像形成装置３０が有する各機能について説明する。図７は、画像形成装置３０の機能構成を示す図である。同図に示すように、画像形成装置３０の制御部３１は、その機能構成として、データ取得部１０２と、第１の認証要求部１０３と、利用者識別情報再取得部１０５と、第２の認証要求部１０６と、選択受付部１０７とを備えている。これらの各機能は、ＣＰＵがプログラムを実行することによって実現される。また、通信部３２は、その機能構成として受信部１０１を備えており、画像形成部３６は、その機能構成として処理部１０８を有しており、記憶部３３は、その機能構成としてデータ記憶部１０４と履歴情報記憶部１０９とを備えている。
【００２０】
受信部１０１は、端末装置１０から画像データが送信されてくると、当該画像データを受信する受信手段の一例である。データ取得部１０２は、利用者によって指定され、受信部１０１によって受信された画像データと、当該利用者によって入力された利用者識別情報及び認証情報とを取得するデータ取得手段の一例である。この利用者識別情報としては、例えばユーザＩＤが用いられ、認証情報としては、例えばパスワードが用いられる。第１の認証要求部１０３は、各々の利用者を識別する利用者識別情報と当該利用者の認証情報とを対応付けて記憶する認証装置２０に対し、データ取得部１０２によって取得された利用者識別情報及び認証情報を送信して、利用者の認証を要求する認証要求手段の一例である。データ記憶部１０４は、認証装置２０による利用者の認証が成功した場合、データ取得部１０２によって取得された画像データと利用者識別情報とを対応付けて記憶するデータ記憶手段の一例である。
【００２１】
利用者識別情報再取得部１０５は、利用者によって再度入力された利用者識別情報を取得する利用者識別情報再取得手段の一例である。第２の認証要求部１０６は、各々の利用者を識別する利用者識別情報と当該利用者の認証情報とを対応付けて記憶する認証装置２０に対し、利用者識別情報再取得部１０５によって取得された利用者識別情報及び認証情報を送信して、利用者の認証を要求する認証要求手段の一例である。選択受付部１０７は、利用者識別情報再取得部１０５によって取得された利用者識別情報と対応付けてデータ記憶部１０４に記憶されている画像データの中から、画像データの選択を受け付ける選択受付手段の一例である。処理部１０８は、利用者識別情報再取得部１０５によって取得された利用者識別情報と対応付けて記憶された画像データを用いた処理が指示されると、データ記憶部１０４に記憶された当該画像データに応じた画像を形成する処理を行う処理手段の一例である。履歴情報記憶部１０９は、処理部１０８によって行われた処理の履歴を表す履歴情報と、利用者識別情報再取得部１０５によって取得された利用者識別情報とを対応付けて記憶する履歴情報記憶手段の一例である。
【００２２】
［動作］
次に、情報処理システム１の動作について説明する。ここでは、まず画像形成装置３０に画像データを蓄積させる画像データ蓄積処理について説明し、続いて蓄積した画像データの中から指定された画像データに応じた画像を形成する印刷処理について説明する。
【００２３】
（画像データ蓄積処理）
図８は、画像データ蓄積処理を示すシーケンス図である。まず、利用者は、端末装置１０の操作部１５を操作して、印刷に用いる画像データを指定して、画像データの送信を指示するとともに、自分のユーザＩＤとパスワードとを入力する。この画像データは、予め記憶部１４に記憶されたものであってもよいし、文章や画像などを作成するプログラムに従って新たに作成されたものであってもよい。ここでは、画像データＤ１が指定され、「ｕｓｅｒＡ」というユーザＩＤと「１２３４」というパスワードとが入力された場合を想定する。操作部１５の操作により画像データの送信指示が入力されると（ステップＳＡ１０）、ＣＰＵ１１は、送信が指示された画像データＤ１を、利用者によって入力されたユーザＩＤ「ｕｓｅｒＡ」及びパスワード「１２３４」とともに、通信部１３によって画像形成装置３０に送信する（ステップＳＡ２０）。
【００２４】
画像データＤ１、ユーザＩＤ「ｕｓｅｒＡ」及びパスワード「１２３４」が送信されてくると、画像形成装置３０の制御部３１は、通信部３２によってこれらの情報を受信する（ステップＳＡ３０）。上述したように、ユーザＩＤは利用者識別情報の一例であり、パスワードは認証情報の一例である。つまり、制御部３１は、利用者によって指定されたデータと、その利用者によって入力された利用者識別情報と認証情報とを取得するデータ取得手段の一例である。続いて、制御部３１は、受信したユーザＩＤ「ｕｓｅｒＡ」及びパスワード「１２３４」を通信部３２によって認証装置２０に送信することにより、認証装置２０に対してユーザ認証を要求する（ステップＳＡ４０）。つまり、制御部３１は、各々の利用者を識別する利用者識別情報とその利用者の認証情報とを対応付けて記憶する認証装置２０に対し、上述したステップＳＡ３０にて取得された利用者識別情報及び認証情報を送信して、利用者の認証を要求する認証要求手段の一例である。
【００２５】
画像形成装置３０からユーザ認証が要求されると、認証装置２０のＣＰＵ２１は、その画像形成装置３０から送信されてきたユーザＩＤ「ｕｓｅｒＡ」及びパスワード「１２３４」を用いてユーザ認証を行う（ステップＳＡ５０）。具体的に説明すると、ＣＰＵ２１は、送信されてきたユーザＩＤとパスワードとの組み合わせが、記憶部２４の認証テーブルＴに記憶されているか否かを判定する。この例では、画像形成装置３０からユーザＩＤ「ｕｓｅｒＡ」とパスワード「１２３４」とが送信されてくるため、これらの組み合わせが図４に示した認証テーブルＴに含まれているか否かが判定される。続いて、ＣＰＵ２１は、ユーザ認証の成功又は失敗を表す認証結果を通信部２３によって画像形成装置３０に返信する（ステップＳＡ６０）。この例では、ユーザＩＤ「ｕｓｅｒＡ」とパスワード「１２３４」との組み合わせが図４に示した認証テーブルＴに含まれているため、ユーザ認証の成功を表す認証結果が返信される。
【００２６】
認証結果が返信されてくると、画像形成装置３０の制御部３１は、通信部３２によってこの認証結果を受信し、受信した認証結果に基づいてユーザ認証が成功したか否かを判定する（ステップＳＡ７０）。仮に、受信した認証結果がユーザ認証の失敗を表している場合、制御部３１は、ユーザ認証に成功しなかったと判定し（ステップＳＡ７０：ＮＯ）、ステップＳＡ３０にて受信した画像データを破棄する（ステップＳＡ８０）。このとき、画像データとともに、ステップＳＡ３０にて受信したユーザＩＤ及びパスワードを破棄してもよい。一方、この例のように、受信した認証結果がユーザ認証の成功を表している場合、制御部３１は、ユーザ認証に成功したと判定し（ステップＳＡ７０：ＹＥＳ）、ステップＳＡ３０にて受信したユーザＩＤ「ｕｓｅｒＡ」が記憶部３３の登録テーブルＲ１に登録済みであるか否かを判定する（ステップＳＡ９０）。仮に、ユーザＩＤ「ｕｓｅｒＡ」が記憶部３３の登録テーブルＲ１に含まれている場合、制御部３１は、そのユーザＩＤが登録テーブルＲ１に登録済みであると判定し（ステップＳＡ９０：ＹＥＳ）、ステップＳＡ３０にて受信した画像データＤ１を、そのユーザＩＤ「ｕｓｅｒＡ」と対応付けて記憶部３３に記憶させる（ステップＳＡ１１０）。
【００２７】
一方、ユーザＩＤ「ｕｓｅｒＡ」が記憶部３３の登録テーブルＲ１に含まれていない場合、制御部３１は、そのユーザＩＤが登録テーブルＲ１に登録済みではないと判定する（ステップＳＡ９０：ＮＯ）。この例では、図６に示した登録テーブルＲ１にユーザＩＤ「ｕｓｅｒＡ」が含まれていないため、ユーザＩＤ「ｕｓｅｒＡ」が登録テーブルＲ１に登録済みではないと判定される。この場合、制御部３１は、ステップＳＡ３０にて受信したユーザＩＤ「ｕｓｅｒＡ」を記憶部３３の登録テーブルＲ１に追加して、対応する一時登録フラグを「オン」にすることにより、そのユーザＩＤを登録テーブルＲ１に一時登録する（ステップＳＡ１００）。図９は、ユーザＩＤ「ｕｓｅｒＡ」が追加された後の登録テーブルＲ２を示す図である。同図に示すように、この登録テーブルＲ２には、ユーザＩＤ「ｕｓｅｒＡ」が追加されており、このユーザＩＤ「ｕｓｅｒＡ」には「オン」状態の一時登録フラグが対応付けられている。
【００２８】
続いて、制御部３１は、上述したステップＳＡ１１０の処理に進み、ステップＳＡ３０にて受信した画像データＤ１を、受信したユーザＩＤ「ｕｓｅｒＡ」と対応付けて記憶部３３に記憶させる。図１０は、このときに記憶される画像データＤ１を示す図である。同図に示すように、画像データＤ１には、ユーザＩＤ「ｕｓｅｒＡ」が対応付けられている。これにより、記憶部３３には、ユーザＩＤ「ｕｓｅｒＡ」と一時登録フラグ「オン」とが対応付けられた登録テーブルＲ２と、ユーザＩＤ「ｕｓｅｒＡ」が対応付けられた画像データＤ１とが記憶される。つまり、記憶部３３においては、ユーザＩＤ「ｕｓｅｒＡ」をキーとして、ユーザＩＤ「ｕｓｅｒＡ」と一時登録フラグ「オン」と画像データＤ１とが対応付けて記憶されていることになる。このとき、「オン」状態の一時登録フラグが対応付けられたユーザＩＤは、使用期間が限られた一時利用者識別情報として利用される。つまり、記憶部３３は、認証装置２０による利用者の認証が成功した場合、上述したステップＳＡ３０にて取得されたデータと利用者識別情報とを対応付けて記憶するとともに、その利用者識別情報を一時利用者識別情報として記憶することになる。
このようにして、正当な利用者によって端末装置１０から画像データが送信される度に、その画像データが画像形成装置３０に蓄積されていく。
【００２９】
（印刷処理）
次に、画像形成装置３０に蓄積された画像データの中から指定された画像データに応じた画像を形成する印刷処理について説明する。図１１は、印刷処理を示すシーケンス図である。画像形成装置３０に記憶されている画像データに応じた画像の形成を行いたい場合、利用者は、まず画像形成装置３０が設置されている場所に移動する。続いて、利用者は、画像形成装置３０の表示操作部３４を操作して、自分のユーザＩＤとパスワードとを入力する。ここでは、「ｕｓｅｒＡ」というユーザＩＤと、「１２３４」というパスワードとが入力された場合を想定する。
【００３０】
表示操作部３４の操作によりユーザＩＤ「ｕｓｅｒＡ」とパスワード「１２３４」とが入力されると（ステップＳＢ１０）、制御部３１は、入力されたユーザＩＤ及びパスワードを通信部３２によって認証装置２０に送信することにより、認証装置２０に対してユーザ認証を要求する（ステップＳＢ２０）。つまり、制御部３１は、利用者によって入力された利用者識別情報を取得する利用者識別情報再取得手段の一例である。画像形成装置３０からユーザ認証を要求されると、認証装置２０のＣＰＵ２１は、上述と同様にしてユーザ認証を行い（ステップＳＢ３０）、その認証結果を通信部２３によって画像形成装置３０に返信する（ステップＳＢ４０）。この例では、ユーザＩＤ「ｕｓｅｒＡ」とパスワード「１２３４」との組み合わせが図４に示した認証テーブルＴに含まれているため、ユーザ認証の成功を表す認証結果が返信される。
【００３１】
認証結果が返信されてくると、画像形成装置３０の制御部３１は、通信部３２によってこの認証結果を受信し、受信した認証結果に基づいてユーザ認証が成功したか否かを判定する（ステップＳＢ５０）。仮に、受信した認証結果がユーザ認証の失敗を表している場合、制御部３１は、ユーザ認証に成功しなかったと判定し（ステップＳＢ５０：ＮＯ）、例えばユーザ認証に失敗したことを表すメッセージを表示操作部３４に表示させて、この処理を終了する。一方、この例のように、受信した認証結果がユーザ認証の成功を表している場合、制御部３１は、ユーザ認証に成功したと判定し（ステップＳＢ５０：ＹＥＳ）、画像データの選択を受け付ける画像データ選択画面を表示操作部３４に表示させる（ステップＳＢ６０）。この画像データ選択画面には、ステップＳＢ１０にて入力されたユーザＩＤと対応付けて記憶部３３に記憶されている画像データのファイル名などが選択可能に配置されている。この例では、ステップＳＢ１０にて入力されたユーザＩＤ「ｕｓｅｒＡ」と対応付けて記憶部３３に記憶されている画像データのファイル名、例えば図９に示した画像データＤ１のファイル名などが選択可能に配置される。
【００３２】
画像データ選択画面が表示されると、利用者は、表示操作部３４を操作して、画像データ選択画面にて提示された画像データの中から印刷に使用する画像データを選択して、印刷指示を行う。ここでは、利用者によって画像データＤ１が選択されて、印刷指示が行われた場合を想定する。表示操作部３４の操作によって印刷指示が入力されると（ステップＳＢ７０）、制御部３１は、その選択操作及び印刷指示操作を受け付ける。つまり、制御部３１と表示操作部３４とは、ステップＳＢ１０にて取得された利用者識別情報と対応付けて記憶部３３に記憶されている画像データの中から、画像データの選択を受け付ける選択受付手段の一例である。そして、制御部３１は、記憶部３３に記憶されている画像データの中から選択された画像データＤ１を読み出して、画像形成部３６に供給する。制御部３１によって画像データＤ１が供給されると、画像形成部３６は、この画像データＤ１に応じた画像を用紙に形成して出力する（ステップＳＢ８０）。つまり、画像形成部３６は、ステップＳＢ１０にて取得された利用者識別情報と対応付けて記憶されているデータを用いた処理が指示されると、指示されたデータを用いて処理を行う。これにより、利用者によって指定された画像データＤ１に応じた画像が形成された印刷物が出力される。
【００３３】
続いて、制御部３１は、ステップＳＢ７０にて印刷を指示された画像データＤ１に対応付けられたユーザＩＤが、一時登録されたものであるか否かを判定する（ステップＳＢ９０）。仮に、画像データＤ１に対応付けられたユーザＩＤ「ｕｓｅｒＡ」に対して「オフ」状態の一時登録フラグが対応付けられている場合、制御部３１は、このユーザＩＤが一時登録されたものではないと判定する（ステップＳＢ９０：ＮＯ）。この場合、制御部３１は、ステップＳＢ８０にて行なわれた印刷処理に基づいて履歴情報を作成し、記憶部３３の登録テーブルＲ２においてユーザＩＤ「ｕｓｅｒＡ」に対応する履歴情報に、作成した履歴情報を追加する（ステップＳＢ１００）。一方、この例では、図９に示すように、画像データＤ１にユーザＩＤ「ｕｓｅｒＡ」が対応付けられており、さらに図８に示すように、登録テーブルＲ２のユーザＩＤ「ｕｓｅｒＡ」に対して「オン」状態の一時登録フラグが対応付けられているため、制御部３１は、このユーザＩＤが一時登録されたものであると判定する（ステップＳＢ９０：ＹＥＳ）。この場合、制御部３１は、ステップＳＢ１０にて入力されたユーザＩＤを一時登録から正規の登録に移行させるか否かを問い合わせる問い合わせ画面を表示操作部３４に表示させる（ステップＳＢ１１０）。
【００３４】
問い合わせ画面が表示されると、利用者は、表示操作部３４を操作して、ステップＳＢ１０にて入力したユーザＩＤ「ｕｓｅｒＡ」を一時登録から正規の登録に移行させるか否かを選択する。例えば、表示操作部３４の操作によって、ステップＳＢ１０にて入力されたユーザＩＤ「ｕｓｅｒＡ」を正規の登録に移行しないことが指示された場合（ステップＳＢ１２０：ＮＯ）、制御部３１は、そのユーザＩＤ「ｕｓｅｒＡ」を含むレコードを記憶部３３の登録テーブルＲ２から削除して（ステップＳＢ１３０）、この処理を終了する。一方、表示操作部３４の操作によって、ステップＳＢ１０にて入力されたユーザＩＤ「ｕｓｅｒＡ」を正規の登録に移行させることが指示された場合（ステップＳＢ１２０：ＹＥＳ）、制御部３１は、記憶部３３の登録テーブルＲ２において、そのユーザＩＤに対応付けられた一時登録フラグを「オフ」状態に変更することにより、ユーザＩＤ「ｕｓｅｒＡ」を正規の登録に移行させる（ステップＳＢ１４０）。この例では、図８に示した登録テーブルＲ２において、ユーザＩＤ「ｕｓｅｒＡ」に対応する一時登録フラグが「オン」から「オフ」に変更される。
【００３５】
続いて、制御部３１は、ステップＳＢ８０にて行なわれた印刷処理に基づいて履歴情報を作成し、記憶部３３の登録テーブルＲ２においてユーザＩＤ「ｕｓｅｒＡ」に対応付けて、作成した履歴情報を記憶させる。（ステップＳＢ１５０）。つまり、記憶部３３は、ステップＳＢ８０にて行われた処理の履歴を表す履歴情報と、ステップＳＢ１０にて取得された利用者識別情報とを対応付けて記憶する。例えば、ステップＳＢ８０にて行われた印刷処理の履歴を表す履歴情報として「ｌｏｇＡ」という履歴情報が作成された場合、登録テーブルＲ２では、ユーザＩＤ「ｕｓｅｒＡ」と対応付けてこの履歴情報「ｌｏｇＡ」が記述されることになる。
【００３６】
以上のように、画像データの送信指示とともに入力されたユーザＩＤと、印刷処理において入力されたユーザＩＤとが一致しなければ、その画像データを用いた印刷処理を行わないため、他人のデータを用いた処理を行うことが困難になる。
また、処理の履歴を表す履歴情報とユーザＩＤとが対応付けて記憶されるため、利用者は、この記憶内容を参照して各々の処理がどの利用者によって行われたものかを確認する。例えば、画像データに対応付けられた暗証番号と利用者によって入力された暗証番号とを照合し、それらの暗証番号が合致した場合にはその画像データの印刷を行うような場合には、暗証番号が画像データ毎に任意に設定されているため、画像データの送信指示を行った利用者と、画像データの印刷指示を行った利用者とが同一の人物であることは確認できても、その利用者が誰であるかを特定することができない。したがって、処理の履歴を表す履歴情報を蓄積したとしても、その処理がどの利用者によるものかを特定することができず、追跡性を確保することができない。これに対し、上述した実施形態では、認証装置２０に記憶されているユーザＩＤと履歴情報とが対応付けられているため、この記憶内容を見て処理がどの利用者によって行われたものかを特定すればよい。
【００３７】
［変形例］
以上が実施形態の説明であるが、この実施形態の内容は以下のように変形し得る。また、以下の各変形例を適宜組み合わせてもよい。
（変形例１）
上述した実施形態では、認証装置２０によるユーザ認証が画像データ蓄積処理と印刷処理とでそれぞれ行われていたが、このユーザ認証が画像データ蓄積処理又は印刷処理のどちらか一方だけで行われてもよい。例えば、認証装置２０によるユーザ認証を印刷処理においてのみ行う場合、上述したステップＳＡ１０では、ユーザＩＤのみが入力されればよく、パスワードが入力される必要はない。そして、上述したステップＳＡ３０にて画像データとユーザＩＤとが受信された後、上述したステップＳＡ４０〜ステップＳＡ７０の処理を飛ばしてステップＳＡ９０の処理が行われる。この構成では、認証装置２０によって認証される正当な利用者以外の第３者であっても、画像形成装置３０に画像データを記憶させることができるが、その第３者がその画像データを用いて印刷を行おうとしても認証装置２０によるユーザ認証に失敗するため、結局は正当な利用者以外の人は印刷を行うことができないことになる。
【００３８】
また、認証装置２０によるユーザ認証をデータ蓄積処理においてのみ行う場合も同様である。この場合、上述したステップＳＢ１０では、ユーザＩＤのみが入力されればよく、パスワードが入力される必要はない。そして、このステップＳＢ１０にてユーザＩＤが入力された後、上述したステップＳＢ２０〜ステップＳＢ５０の処理を飛ばしてステップＳＢ６０の処理が行われる。このような構成であってもよい。
【００３９】
（変形例２）
上述した実施形態では、一時登録されたユーザＩＤに対応付けられた画像データの印刷指示が行われなくても、その画像データは記憶部３３に記憶され続けていたが、所定の時間が経過するまでの間にその画像データの印刷指示が行われなかった場合には、画像データを削除してもよい。この場合、画像形成装置３０の制御部３１は、「ＯＮ」状態の一時登録フラグが対応付けられたユーザＩＤの画像データが記憶部３３に記憶されてから所定の時間が経過するまでに、その画像データの印刷が指示されなかった場合には、その画像データと対応するユーザＩＤとを削除する。つまり、制御部３１は、一時利用者識別情報が記憶部３３に記憶されてからその一時利用者識別情報の使用時間が経過するまでに、その一時利用者識別情報と対応付けて記憶部３３に記憶されているデータを用いた処理が指示されなかった場合、記憶部３３に記憶されているその一時利用者識別情報を削除する削除手段の一例である。これにより、記憶部３３に不要な一時利用者識別情報が記憶され続けるのを防ぐことができる。
【００４０】
（変形例３）
上述した実施形態では、ユーザＩＤを一時登録から正規の登録に移行させるか否かを利用者に問い合わせていたが、この問い合わせを行わずに正規の登録に移行させてもよい。例えば、画像形成装置３０の制御部３１は、上述したステップＳＢ７０において「ＯＮ」状態の一時登録フラグが対応付けられた画像データの印刷指示が入力されたときに、ステップＳＢ１０にて入力されたユーザＩＤを上述と同様に正規の登録に移行させてもよい。つまり、記憶部３３は、一時利用者識別情報と対応付けて記憶部３３に記憶されているデータを用いた処理が指示された場合、ステップＳＢ１０にて取得された利用者識別情報を使用期間に制限がない正規の利用者識別情報として記憶することになる。
【００４１】
あるいは、ユーザＩＤの一時登録を行わず、初めから正規の登録を行ってもよい。この場合、登録テーブルＲ１に一時登録フラグを設ける必要がなくなり、さらにステップＳＢ１１０〜ＳＢ１５０の処理がなくなる。そして、ステップＳＢ８０において印刷処理が行われた後、上述したステップＳＢ９０の処理を飛ばしてステップＳＢ１００の処理が行われる。このステップＳＢ１００において、画像形成装置３０の制御部３１は、ステップＳＡ３０にて受信したユーザＩＤを記憶部３３の登録テーブルＲ１にそのまま追加すればよい。
【００４２】
（変形例４）
上述した実施形態では、画像形成装置３０に蓄積される画像データが端末装置１０から送信されてくる例を挙げて説明したが、これに限らない。例えば、画像読取部３５によって生成された画像データが記憶部３３に蓄積されてもよい。この場合、利用者は、表示操作部３４を操作して、画像読取部３５にセットした原稿の画像の読み取りを指示するとともに、自分のユーザＩＤとパスワードとを入力する。画像読取部３５は、利用者によってセットされた原稿の画像を読み取って画像データを生成し、生成した画像データを制御部３１に供給する。制御部３１は、画像読取部３５によって生成された画像データを取得し、ステップＳＡ４０以降の処理を行う。この構成によれば、原稿の画像に基づいて作成された画像データを蓄積し、その画像データに応じた画像を形成する。
【００４３】
（変形例５）
上述した実施形態では、印刷処理において、画像データ選択画面を表示して、画像データの選択を受け付けていたが、印刷対象となる画像データを決定する方法はこれに限らない。例えば、制御部３１は、上述したステップＳＢ５０においてユーザ認証に成功したと判定したときに、ステップＳＢ１０にて入力されたユーザＩＤと対応付けて記憶部３３に記憶されている画像データを全て読み出して、画像形成部３６に供給してもよい。この場合には、利用者によって画像データの選択および印刷指示が行われなくても、その利用者によって蓄積された全ての画像データが印刷されることになる。
【００４４】
（変形例６）
上述した実施形態では、データを用いた処理を行う情報処理装置として、画像形成装置３０を例を挙げて説明したが、これに限らない。例えば、端末装置１０から送信されてきたデータを一端記憶した後、そのデータを他の装置に転送する情報処理装置であってもよい。この場合、情報処理装置は、端末装置１０から送信されてきたデータをそのまま他の装置に転送してもよいし、送信されてきたデータに処理を施してから転送してもよい。あるいは、情報処理装置は、端末装置１０から送信されてきたデータを電子メールとして送信してもよい。要するに、情報処理装置は、データを用いた処理を行うものであればよい。
【００４５】
（変形例７）
上述した実施形態では、一時登録されたユーザＩＤと正規に登録されたユーザＩＤとを区別するために、一時登録フラグを利用したが、これらを区別する方法はこれに限らない。例えば、正規に登録されたユーザＩＤを記憶する正規登録テーブルと、一時登録されたユーザＩＤを記憶する一時登録テーブルとを設け、ユーザＩＤがどちらの登録テーブルに記憶されているかに応じて一時登録されたユーザＩＤと正規に登録されたユーザＩＤとを区別してもよい。要するに、記憶部３３は、正規の利用者識別情報と履歴情報とを対応付けて記憶するとともに、利用者識別情報が一時登録された場合には、その利用者識別情報を一時利用者識別情報として記憶すればよい。また、記憶部３３は、一時利用者識別情報を一時登録から正規の登録に移行させる場合には、ステップＳＢ１０にて取得された利用者識別情報を正規の利用者識別情報として記憶すればよい。
【００４６】
また、履歴情報のデータ記憶形式は、図６に示した例に限らない。例えば、印刷処理が行われる度に、その印刷処理の履歴を表す履歴情報を時系列に沿って蓄積していき、各々の履歴情報に対応するユーザＩＤ又はそのユーザＩＤを表す識別子を対応付けてもよい。
また、登録テーブルのデータ構造は、図６，９に示した例に限らない。例えば、図９に示した登録テーブルＲ２を、「ユーザＩＤ」と「一時登録フラグ」とが対応付けられた第２の登録テーブルと、「ユーザＩＤ」と「履歴情報」とが対応付けられた履歴テーブルとに分けてもよい。この場合、上述したステップＳＢ１３０では、ステップＳＢ１０にて入力されたユーザＩＤを含むレコードをこの第２の登録テーブルだけから削除し、履歴テーブルに記述されているユーザＩＤ及び履歴情報は削除せずに、そのまま残してもよい。
【００４７】
（変形例８）
上述した実施形態では、認証情報の一例としてパスワードを使用した例を挙げて説明したが、これに限らない。例えば、利用者の指紋や虹彩、音声などの生体情報が利用者の認証情報として使用されてもよい。
【００４８】
（変形例９）
上述した実施形態において、端末装置１０のＣＰＵ１１、認証装置２０のＣＰＵ２１、画像形成装置３０のＣＰＵによって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。
【図面の簡単な説明】
【００４９】
【図１】本実施形態に係る情報処理システムの構成を示す図である。
【図２】上記情報処理システムの端末装置の構成を示すブロック図である。
【図３】上記情報処理システムの認証装置の構成を示すブロック図である。
【図４】上記認証装置が記憶する認証テーブルの一例を示す図である。
【図５】上記情報処理システムの画像形成装置の構成を示すブロック図である。
【図６】上記画像形成装置が記憶する登録テーブルの一例を示す図である。
【図７】上記画像形成装置の機能構成を示す図である。
【図８】上記情報処理システムによる画像データ蓄積処理を示すシーケンス図である。
【図９】ユーザＩＤが追加された後の上記登録テーブルを示す図である。
【図１０】上記画像形成装置に記憶される画像データを示す図である
【図１１】上記情報処理システムによる印刷処理を示すシーケンス図である。
【符号の説明】
【００５０】
１…情報処理システム、１０…端末装置、１１…ＣＰＵ、１２…メモリ、１３…通信部、１４…記憶部、１５…操作部、１６…表示部、２０…認証装置、２１…ＣＰＵ、２２…メモリ、２３…通信部、２４…記憶部、３０…画像形成装置、３１…制御部、３２…通信部、３３…記憶部、３４…表示操作部、３５…画像読取部、３６…画像形成部、１０１…受信部、１０２…データ取得部、１０３…第１の認証要求部、１０４…データ記憶部、１０５…利用者識別情報再取得部、１０６…第２の認証要求部、１０７…選択受付部、１０８…処理部、１０９…履歴情報記憶部。
【図１】
0005163290.tif 000002
【図２】
0005163290.tif 000003
【図３】
0005163290.tif 000004
【図４】
0005163290.tif 000005
【図５】
0005163290.tif 000006
【図６】
0005163290.tif 000007
【図７】
0005163290.tif 000008
【図８】
0005163290.tif 000009
【図９】
0005163290.tif 000010
【図１０】
0005163290.tif 000011
【図１１】
0005163290.tif 000012